(57)【要約】【課題】  省電力性能を向上させた無線ＬＡＮアクセスポイント装置を提供すること。【解決手段】  ＭＩＭＯ技術により複数のアンテナで通信することができる無線ＬＡＮアクセスポイント装置は、複数のアンテナをそれぞれ制御する複数の無線部と、通信すべき接続相手先装置の使用状況により、複数の無線部の電源を制御する制御部と、を備える。【選択図】  図２
2011166286.tif 000002
【特許請求の範囲】
【請求項１】
ＭＩＭＯ技術により複数のアンテナで通信することができる無線ＬＡＮアクセスポイント装置において、
前記複数のアンテナをそれぞれ制御する複数の無線部と、
通信すべき接続相手先装置の使用状況により、前記複数の無線部の電源を制御する制御部と、
を備えることを特徴とする無線ＬＡＮアクセスポイント装置。
【請求項２】
前記通信すべき接続相手先装置は、無線ＬＡＮ子機を有し、
前記使用状況は、前記無線ＬＡＮ子機の接続状況であり、
前記制御部は、前記無線ＬＡＮ子機が接続されているかを判定することにより、前記複数の無線部の電源を制御する無線ＬＡＮ制御部から構成されていることを特徴とする、請求項１に記載の無線ＬＡＮアクセスポイント装置。
【請求項３】
前記無線ＬＡＮ制御部は、
前記無線ＬＡＮ子機との接続状態を管理する無線ＬＡＮ接続判定部と、
該無線ＬＡＮ接続判定部の判定結果に基いて、前記複数の無線部の電源を管理する無線部電源管理部と、
を有する、請求項２に記載の無線ＬＡＮアクセスポイント装置。
【請求項４】
前記通信すべき接続相手先装置は、ネットワークデバイスを有し、
前記使用状況は、前記ネットワークデバイスの伝送速度及び／又はリンクレートであり、
前記制御部は、前記ネットワークデバイスの伝送速度及び／又はリンクレートを判定することにより、前記複数の無線部の電源を制御することを特徴とする、請求項１に記載の無線ＬＡＮアクセスポイント装置。
【請求項５】
前記ネットワークデバイスが、無線ＬＡＮを介して接続された無線ＬＡＮ子機、および有線回線を介して接続された電子機器を含み、
前記制御部は、
前記無線ＬＡＮのリンクスピードを判定するリンクスピード判定部と、
前記有線回線の伝送速度を判定する伝送速度判定部と、
前記リンクスピード判定部及び／又は前記伝送速度判定部の判定結果に基いて、前記複数の無線部の電源を管理する無線部電源管理部と、
を有する、請求項４に記載の無線ＬＡＮアクセスポイント装置。
【請求項６】
前記通信すべき接続相手先装置は、ネットワークデバイスを有し、
前記使用状況は、前記ネットワークデバイスの接続状況と、前記ネットワークデバイスの伝送速度及び／又はリンクレートとから成り、
前記制御部は、前記ネットワークデバイスが接続されているかを判定し、かつ前記ネットワークデバイスの伝送速度及び／又はリンクレートを判定することにより、前記複数の無線部の電源を制御することを特徴とする、請求項１に記載の無線ＬＡＮアクセスポイント装置。
【請求項７】
前記ネットワークデバイスは、無線ＬＡＮを介して接続された無線ＬＡＮ子機、および有線回線を介して接続された電子機器を含み、
前記制御部は、
前記無線ＬＡＮ子機との接続状態を管理する無線ＬＡＮ接続判定部と、
前記無線ＬＡＮのリンクスピードを判定するリンクスピード判定部と、
前記有線回線の伝送速度を判定する伝送速度判定部と、
前記無線ＬＡＮ接続判定部の判定結果と、前記リンクスピード判定部及び／又は前記伝送速度判定部の判定結果とに基いて、前記複数の無線部の電源を管理する無線部電源管理部と、
を有する、請求項６に記載の無線ＬＡＮアクセスポイント装置。
【請求項８】
ＭＩＭＯ技術により複数のアンテナで通信することができる無線ＬＡＮアクセスポイント装置の制御方法であって、
通信すべき接続相手先装置の使用状況により、前記複数のアンテナをそれぞれ制御する複数の無線部の電源を制御するステップ、
を含む無線ＬＡＮアクセスポイント装置の制御方法。
【請求項９】
前記通信すべき接続相手先装置は、無線ＬＡＮ子機を有し、
前記使用状況は、前記無線ＬＡＮ子機の接続状況であり、
前記制御ステップは、前記無線ＬＡＮ子機が接続されているかを判定することにより、前記複数の無線部の電源を制御する、請求項８に記載の無線ＬＡＮアクセスポイント装置の制御方法。
【請求項１０】
前記通信すべき接続相手先装置は、ネットワークデバイスを有し、
前記使用状況は、前記ネットワークデバイスの伝送速度及び／又はリンクレートであり、
前記制御ステップは、前記ネットワークデバイスの伝送速度及び／又はリンクレートを判定することにより、前記複数の無線部の電源を制御する、請求項８に記載の無線ＬＡＮアクセスポイント装置の制御方法。
【発明の詳細な説明】
【技術分野】
【０００１】
本発明は、無線ＬＡＮ（Local Area Network）アクセスポイント装置に関し、特に、ＭＩＭＯ（Multiple Input Multiple Output）技術である複数のアンテナを持つ無線ＬＡＮアクセスポイント装置およびその制御方法に関する。
【背景技術】
【０００２】
従来、ＭＩＭＯ技術である複数のアンテナを持つ無線ＬＡＮアクセスポイント装置においては、常に複数のアンテナで受信可能な状態としている。そのため、待機電力が発生している。
【０００３】
本発明に関連する先行技術が、種々知られている。
【０００４】
例えば、特開２００９−４９９８２号公報（特許文献１）は、ＭＩＭＯを利用した無線ＬＡＮアクセスポイントを開示している。
【０００５】
また、再公表特許ＷＯ２００７／０８０７６０号公報（特許文献２）は、自身の使用状態（接続状況）に対応して、アンテナ切り替えを行うようにした携帯電話機を開示している。
【０００６】
さらに、特開２００７−８１７０２号公報（特許文献３）は、ＭＩＭＯを用いた複数ストリームの無線パケットを受信する際の低消費電力化を達成できる無線受信装置を開示している。この特許文献３に開示された無線受信装置は、受信される無線パケットのストリーム数に応じて、常に必要最低限の受信ブランチの電源をＯＮにして無線パケットの復調を行っている。
【先行技術文献】
【特許文献】
【０００７】
【特許文献１】特開２００９−４９９８２号公報
【特許文献２】再公表特許ＷＯ２００７／０８０７６０号公報
【特許文献３】特開２００７−８１７０２号公報
【発明の概要】
【発明が解決しようとする課題】
【０００８】
しかしながら、上述した特許文献１〜３においては、次のような課題がある。
【０００９】
先ず、特許文献１は、単に、ＭＩＭＯを利用した無線ＬＡＮアクセスポイントを開示しているに過ぎず、省電力を実現する手法については何ら開示していない。
【００１０】
特許文献２は、携帯電話機それ自身の接続状況を判断して、適切なアンテナ切り替えを実現する技術思想を開示しているに過ぎない。
【００１１】
特許文献３では、相手から送信される無線パケットが使用するストリーム数に応じて、アンテナへの電源供給をオンオフしている。その結果、通信すべき接続相手先装置が複数ストリームで送信してきた場合には、省電力は期待できない。
【００１２】
本発明の目的は、省電力性能を向上させた無線ＬＡＮアクセスポイント装置およびその制御方法を提供する。
【課題を解決するための手段】
【００１３】
本発明に係る無線ＬＡＮアクセスポイント装置は、ＭＩＭＯ（Multiple Input Multiple Output）技術である複数のアンテナを持つ無線ＬＡＮアクセスポイント装置であって、通信すべき接続相手先装置の使用状況により、各アンテナを制御する無線部の電源を管理することで、待機電力を少なくすることを特徴としている。
【発明の効果】
【００１４】
本発明においては、通信すべき接続相手先装置の使用状況により 無線部の電源を制御することで待機電力が少なくなるため、従来と比べ省電力の効果がある。
【図面の簡単な説明】
【００１５】
【図１】本発明の一実施の形態に係る無線ＬＡＮアクセスポイント装置を含む通信システムの構成を示すブロック図である。
【図２】本発明の第１の実施例に係る無線ＬＡＮアクセスポイント装置を示すブロック図である。
【図３】図２に示した無線ＬＡＮアクセスポイント装置の動作を説明するためのフローチャートである。
【図４】本発明の第２の実施例に係る無線ＬＡＮアクセスポイント装置を示すブロック図である。
【図５】図４に示した無線ＬＡＮアクセスポイント装置の動作を説明するためのフローチャートである。
【図６】図４に示した無線ＬＡＮアクセスポイント装置において使用される無線部電源制御表を示す図である。
【発明を実施するための形態】
【００１６】
次に、発明を実施するための形態について、図面を参照して詳細に説明する。
【００１７】
最初に、発明の特徴について説明する。 
本発明は、ＭＩＭＯ（Multiple Input Multiple Output）技術である複数のアンテナを持つ無線ＬＡＮアクセスポイント装置において、通信すべき接続相手先装置の使用状況により、各アンテナを制御する無線部の電源を管理することで、待機電力を少なくすることを特徴としている。
【００１８】
図１は、本発明の実施形態に係る無線ＬＡＮアクセスポイント装置２０を含む通信システムの構成を示すブロック図である。図示の通信システムにおいて、無線ＬＡＮアクセスポイント装置２０には、ＭＩＭＯ技術に対応したＩＥＥＥ８０２．１１ｎ 子機３１、ＭＩＭＯ技術に対応していないＩＥＥＥ８０２．１１ｇｂ 子機３２、イーサネット（登録商標）等の有線回線５０で接続されたパーソナルコンピュータ等の電子機器６０、など複数のネットワークデバイス（接続相手先装置）が接続されることが考えられる。
【００１９】
無線ＬＡＮアクセスポイント装置２０が、ＭＩＭＯ技術にて複数のアンテナで、接続相手先装置（ネットワークデバイス）と通信したとする。この場合、子機とのリンクレートは、１本のアンテナなら１５０Ｍｂｐｓ、２本のアンテナなら３００Ｍｂｐｓとなる。ただし、対向となるネットワークデバイス（接続相手先装置）により、無線のリンクレート３００Ｍｂｐｓは過剰性能ともいえる場合がある。
【００２０】
例えば、無線ＬＡＮアクセスポイント装置２０が１００Ｍｂｐｓのファーストイーサネットである有線回線５０で接続されたパーソナルコンピュータ（電子機器）６０と対向で通信するとする。この場合は、無線のリンクレートは１５０Ｍｂｐｓでも十分である。
【００２１】
ＩＥＥＥ８０２．１１ｇｂ子機３２はリンクスピードが最大で５４Ｍｂｐｓである。このため、無線ＬＡＮアクセスポイント装置２０がＩＥＥＥ８０２．１１ｇｂ子機３２と対向で通信する場合、無線ＬＡＮアクセスポイント装置２０は２本のアンテナを使用する必要もない。
【００２２】
本発明の実施形態に係る無線ＬＡＮアクセスポイント装置２０では、これらネットワークデバイス３１、３２、６０の接続状況（使用状況）により、使用するアンテナの数を使い分けて無線部の電源を制御することで、省電力を実現している。
【実施例１】
【００２３】
図２は、本発明の第１の実施例に係る無線ＬＡＮアクセスポイント装置２０を示すブロック図である。第１の実施例は、２本のアンテナを使用した場合の実施例である。
【００２４】
図２において、無線ＬＡＮアクセスポイント装置２０は、第１のアンテナ２１と、第１のアンテナ２１を制御する第１の無線部２２と、第２のアンテナ２３と、第２のアンテナ２３を制御する第２の無線部２４と、無線ＬＡＮ制御部２５とを備えている。
【００２５】
無線ＬＡＮ制御部２５は、無線ＬＡＮ子機との接続を行う無線ＬＡＮリンク部２５１と、無線ＬＡＮ子機との接続状態を管理する無線ＬＡＮ接続判定部２５２と、第１の無線部２２及び第２の無線部２４の電源を管理する無線部電源管理部２５３とを備えている。
【００２６】
ビーコンなどのマネジメントフレームは、ＭＩＭＯ技術を使用せず、１本のアンテナで送受信を行う。無線ＬＡＮリンク部２５１にて、無線ＬＡＮ子機とマネジメントフレームを交換し接続を行う。
【００２７】
接続した無線ＬＡＮ子機がＩＥＥＥ８０２．１１ｎ子機３１（図１）であるとする。この場合、無線ＬＡＮリンク部２５１は、ＭＩＭＯ 技術を使用して複数のアンテナ２１、２３、無線部２２、２４によりデータフレームを送受信する。
【００２８】
無線ＬＡＮ子機が接続されていない状態では、データフレームの送受信は行われない。このため、複数のアンテナ２１、２３、無線部２２、２４による通信は発生しない。
【００２９】
この無線ＬＡＮ子機が接続されていない状態では、無線部電源管理部２５３は、必要な無線部のみ（第１の実施例では第１の無線部２２）に電源を供給することで、待機電力を少なくする。
【００３０】
無線ＬＡＮ子機が接続されデータフレームの送受信が発生する状態となったとき、無線部電源管理部２５３は、複数の無線部（第１の実施例では、第１の無線部２２、第２の無線部２３の２つ）へ電源を供給する。
【００３１】
とにかく、無線ＬＡＮ制御部２５は、後述するように、通信すべき接続相手先装置の使用状況により、複数の無線部２２、２４の電源を制御する。換言すれば、無線ＬＡＮ制御部２５は、後述するように、無線ＬＡＮ子機が接続されているかを判定することにより、複数の無線部２２、２４の電源を制御する。無線部電源管理部２５３は、後述するように、無線ＬＡＮ接続判定部２５２の判定結果に基いて、複数の無線部２２、２４の電源を管理する。
【００３２】
次に、図３のフローチャートを使用して、本発明の第１の実施例に係る無線ＬＡＮアクセスポイント装置２０の動作について説明する。
【００３３】
まず、無線ＬＡＮ子機が接続されていない状態では、無線ＬＡＮ制御部２５は、無線部電源管理部２５３を用いて第１の無線部２２のみへ電源を供給する（ステップＳ３１）。
【００３４】
次に、無線ＬＡＮ子機からの接続要求、切断要求により、無線ＬＡＮ制御部２５は、無線ＬＡＮリンク部２５１を用いて無線ＬＡＮ子機との接続、切断を行う（ステップＳ３２）。
【００３５】
接続が成功したと判断した場合（ステップＳ３３の「接続成功」）、無線ＬＡＮ制御部２５は、接続した情報を無線ＬＡＮ接続判定部２５２で保持して、無線部電源管理部２５３を用いて、第１の無線部２２、第２の無線部２４ともに電源を供給する（ステップＳ３４）。
【００３６】
切断したと判断した場合（ステップＳ３３の「切断」）、無線ＬＡＮ制御部２５は、無線ＬＡＮ接続判定部２５２を用い、その他に接続している無線ＬＡＮ子機が存在するか確認する（ステップＳ３５）。
【００３７】
その他に接続している無線ＬＡＮ子機が存在しない場合（ステップＳ３５のＹＥＳ）、無線ＬＡＮ制御部２５は、無線部電源管理部２５３を用いて第１の無線部２２のみへ電源を供給するように変更する（ステップＳ３１）。
【００３８】
以上説明した本発明の第１の実施例においては、以下に記載するような効果を奏する。
【００３９】
従来と比べて省電力の効果がある。その理由は、通信すべき相手先装置の使用状況により、無線部の電源を制御することで、待機電力が少なくなるからである。
【実施例２】
【００４０】
本発明の他の実施例について説明する。
【００４１】
図４は、本発明の第２の実施例に係る無線ＬＡＮアクセスポイント装置２０Ａを示すブロック図である。第２の実施例も、２本のアンテナを使用した場合の実施例である。
【００４２】
図４において、第１および際２のアンテナ２１、２３、第１および第２の無線部２２、２４、及び無線ＬＡＮ制御部２５の構成は、図２のブロック図と同じである。
【００４３】
更に、無線ＬＡＮアクセスポイント装置２０Ａの制御部４０は、イーサネット等の有線回線５０（図１）を制御する有線回線制御部４６、その他ネットワークデバイスを制御するその他ネットワークデバイス制御部４７、リンクスピードを判定するリンクスピード判定部４８、および無線部電源制御ＯＮ／ＯＦＦ設定部４９を備えている。
【００４４】
制御部４０は、後述するように、ネットワークデバイスの伝送速度及び／又はリンクレートを判定することにより、複数の無線部２２、２４の電源を制御する。少し詳述すると、制御部４０のリンクスピード判定部４８は、無線ＬＡＮのリンクスピードを判定する。無線部４０の有線回線制御部４６は、有線回線５０の伝送速度を判定する伝送速度判定部として働く。無線部電源管理部２５３は、リンクスピード判定部４８及び／又は伝送速度判定部（有線回線制御部）４６の判定結果に基いて、後述するように、複数の無線部２２、２４の電源を管理する。
【００４５】
その代わりに、制御部４０は、後述するように、ネットワークデバイスが接続されているかを判定し、かつネットワークデバイスの伝送速度及び／又はリンクレートを判定することにより、複数の無線部２２、２４の電源を制御する。少し詳述すると、無線ＬＡＮ接続判定部２５２は、無線ＬＡＮ子機との接続状態を管理する。制御部４０のリンクスピード判定部４８は、無線ＬＡＮのリンクスピードを判定する。無線部４０の有線回線制御部４６は、有線回線５０の伝送速度を判定する伝送速度判定部として働く。無線部電源管理部２５３は、無線ＬＡＮ接続判定部２５２の判定結果と、リンクスピード判定部４８及び／又は伝送速度判定部（有線回線制御部）４６の判定結果とに基いて、後述するように、複数の無線部２２、２４の電源を管理する。
【００４６】
次に、図５のフローチャートおよび図６の無線部電源制御表を使用して、本発明の第２の実施例に係る無線ＬＡＮアクセスポイント装置２０Ａの動作について説明する。
【００４７】
まず、無線ＬＡＮ子機が接続されていない状態では、無線ＬＡＮ制御部２５は、無線部電源管理部２５３を用いて、第１の無線部２２のみへ電源を供給する（ステップＳ５１）。
【００４８】
次に、いずれかのネットワークデバイスが接続、または切断される（ステップＳ５２）。ここで、接続、または切断されるネットワークデバイスは、無線ＬＡＮを介して接続された無線ＬＡＮ子機であったり、イーサネット等の有線回線５０を介して接続されたパーソナルコンピュータ（電子機器）６０であったり、その他のネットワークデバイス（例えば ＷｉＭＡＸ（Worldwide Interoperability for Microwave Access）など）が考えられる。これらネットワークデバイスは、各々、無線ＬＡＮ制御部２５、有線回線制御部４６、その他ネットワークデバイス制御部４７により、接続切断制御が行われる。
【００４９】
ここで、無線ＬＡＮ制御部２５は、無線ＬＡＮ接続判定部２５２を用いて、接続されている無線ＬＡＮ子機にＩＥＥＥ８０２．１１ｎ子機３１（図１）が存在するかを確認する（ステップＳ５３）。
【００５０】
ＩＥＥＥ８０２．１１ｎ子機３１が存在しない場合（ステップＳ５３のＮＯ）は、 ＭＩＭＯ 技術によるデータ通信は行われないので、無線ＬＡＮ制御部２５は、無線部電源管理部２５３を用いて、第１の無線部２２のみへ電源を供給する（ステップＳ５１）。
【００５１】
ＩＥＥＥ８０２．１１ｎ子機３１が存在する場合、制御部４０は、リンクスピード判定部４８を用いて、その対向となるネットワークデバイスがどのような状態で接続されているかを判定し、図６の無線部電源制御表のような組み合わせで、無線部電源管理部２５３を用いて無線部２２、２４の電源を管理する。
【００５２】
図６の組み合わせは一例であり、装置により対向のネットワークデバイスを増やしたり、無線部の電源制御を変更してもよい。
【００５３】
具体的には、制御部４０（無線ＬＡＮ制御部２５）は、無線ＬＡＮ接続判定部２５２を用いて、接続されている無線ＬＡＮ 子機にＩＥＥＥ８０２．１１ｎ子機３１が２台以上存在するかを確認する（ステップＳ５４）。
【００５４】
ＩＥＥＥ８０２．１１ｎ子機３１が２台以上存在する場合（ステップＳ５４のＹＥＳ）、お互いの子機が最大のリンクスピード（３００Ｍｂｐｓ）で通信することが可能であるため、無線ＬＡＮ制御部２５は、無線部電源管理部２５３を用いて、第１の無線部２２、第２の無線部２４ともに電源を供給する（ステップＳ５７）。
【００５５】
次に、制御部４０の有線回線制御部４６は、イーサネットなどの有線回線５０の伝送速度を判定する（ステップＳ５５）。
【００５６】
イーサネットの有線回線５０の伝送速度が１Ｇｂｐｓ（ギガビットイーサネット）の場合、無線ＬＡＮ子機はアンテナ２本のリンクスピードである、３００Ｍｂｐｓの性能を出すことができる。このため、制御部４０（無線ＬＡＮ制御部２５）は、無線部電源管理部２５３を用いて、第１の無線部２２、第２の無線部２４ともに電源を供給する（ステップＳ５７）。
【００５７】
イーサネットの有線回線５０の伝送速度が１００Ｍｂｐｓ（ファーストイーサネット）の場合、無線ＬＡＮ子機のリンクスピードはアンテナ２本を使用した３００Ｍｂｐｓでなくても、アンテナ１本を使用した１５０Ｍｂｐｓ でも十分である。
【００５８】
次に、制御部４０のその他ネットワークデバイス制御部４７は、その他のネットワークデバイスの伝送速度を判定する（ステップＳ５６）。
【００５９】
１００Ｍｂｓを超えるような伝送速度のネットワークデバイスが接続された場合（ステップＳ５６のＹＥＳ）、制御部４０（無線ＬＡＮ制御部２５）は、無線部電源管理部２５３を用いて、第１の無線部２２、第２の無線部２４ともに電源を供給する（ステップＳ５７）。
【００６０】
伝送速度が１００Ｍｂｐｓを超えない場合（ステップＳ５６のＮＯ）、制御部４０（無線ＬＡＮ制御部２５）は、無線部電源管理部２５３を用いて、第１の無線部２２のみ電源を供給する（ステップＳ５１）。
【００６１】
また、無線部電源制御ＯＮ／ＯＦＦ設定部４９にて、本機能のＯＮ(有効)/ＯＦＦ(無効) を設定できるようにしてもよい。
【００６２】
このような構成の無線ＬＡＮアクセスポイント装置２０Ａでは、リンクスピード判定部４８（有線回線制御部４６、その他ネットワークデバイス制御部４７）によって、当該無線ＬＡＮアクセスポイント装置２０Ａに接続されたネットワークデバイスとのリンクスピード（伝送速度）を判定することにより、複数の無線部２２、２４の電源を制御している。その結果、通信すべき接続相手先装置（ネットワークデバイス）が複数ストリームで送受信可能であっても、上記判定により複数ストリームを使用する必要がないと判定した場合には、ストリーム数を１つにして省電力が可能である。
【００６３】
以下に、本発明の態様について説明する。
【００６４】
本発明の第１の態様による無線ＬＡＮアクセスポイント装置は、ＭＩＭＯ技術により複数のアンテナで通信することができる無線ＬＡＮアクセスポイント装置であって、複数のアンテナをそれぞれ制御する複数の無線部と、通信すべき接続相手先装置の使用状況により、複数の無線部の電源を制御する制御部と、を備える。
【００６５】
上記本発明の第１の態様による無線ＬＡＮアクセスポイント装置において、上記通信すべき接続相手先装置は、無線ＬＡＮ子機を有し、上記使用状況は、無線ＬＡＮ子機の接続状況であってよい。この場合、上記制御部は、無線ＬＡＮ子機が接続されているかを判定することにより、複数の無線部の電源を制御する無線ＬＡＮ制御部から構成されてよい。上記無線ＬＡＮ制御部は、無線ＬＡＮ子機との接続状態を管理する無線ＬＡＮ接続判定部と、この無線ＬＡＮ接続判定部の判定結果に基いて、複数の無線部の電源を管理する無線部電源管理部と、から構成されてよい。
【００６６】
上記本発明の第１の態様による無線ＬＡＮアクセスポイント装置において、上記通信すべき接続相手先装置は、ネットワークデバイスを有し、上記使用状況は、ネットワークデバイスの伝送速度及び／又はリンクレートであってよい。この場合、上記制御部は、ネットワークデバイスの伝送速度及び／又はリンクレートを判定することにより、複数の無線部の電源を制御してよい。上記ネットワークデバイスは、無線ＬＡＮを介して接続された無線ＬＡＮ子機、および有線回線を介して接続された電子機器を含むものであってよい。この場合、上記制御部は、無線ＬＡＮのリンクスピードを判定するリンクスピード判定部と、有線回線の伝送速度を判定する伝送速度判定部と、リンクスピード判定部及び／又は伝送速度判定部の判定結果に基いて、複数の無線部の電源を管理する無線部電源管理部と、から構成されてよい。
【００６７】
上記本発明の第１の態様による無線ＬＡＮアクセスポイント装置において、上記通信すべき接続相手先装置は、ネットワークデバイスを有し、上記使用状況は、ネットワークデバイスの接続状況と、ネットワークデバイスの伝送速度及び／又はリンクレートとから成ってよい。この場合、上記制御部は、ネットワークデバイスが接続されているかを判定し、かつネットワークデバイスの伝送速度及び／又はリンクレートを判定することにより、複数の無線部の電源を制御してよい。上記ネットワークデバイスは、無線ＬＡＮを介して接続された無線ＬＡＮ子機、および有線回線を介して接続された電子機器を含むものであってよい。この場合、上記制御部は、無線ＬＡＮ子機との接続状態を管理する無線ＬＡＮ接続判定部と、無線ＬＡＮのリンクスピードを判定するリンクスピード判定部と、有線回線の伝送速度を判定する伝送速度判定部と、無線ＬＡＮ接続判定部の判定結果と、リンクスピード判定部及び／又は伝送速度判定部の判定結果とに基いて、複数の無線部の電源を管理する無線部電源管理部と、から構成されてよい。
【００６８】
本発明の第２の態様による無線ＬＡＮアクセスポイント装置の制御方法は、ＭＩＭＯ技術により複数のアンテナで通信することができる無線ＬＡＮアクセスポイント装置の制御方法であって、通信すべき接続相手先装置の使用状況により、複数のアンテナをそれぞれ制御する複数の無線部の電源を制御するステップ、を含む。
【００６９】
上記本発明の第２の態様による無線ＬＡＮアクセスポイント装置の制御方法において、上記通信すべき接続相手先装置は、無線ＬＡＮ子機を有し、上記使用状況は、無線ＬＡＮ子機の接続状況であり、上記制御ステップは、無線ＬＡＮ子機が接続されているかを判定することにより、複数の無線部の電源を制御してよい。その代わりに、上記通信すべき接続相手先装置は、ネットワークデバイスを有し、上記使用状況は、ネットワークデバイスの伝送速度及び／又はリンクレートであり、上記制御ステップは、ネットワークデバイスの伝送速度及び／又はリンクレートを判定することにより、複数の無線部の電源を制御してよい。
【００７０】
以上、実施形態（実施例）を参照して本発明を説明したが、本発明は上記実施形態（実施例）に限定されるものではない。本発明の構成や詳細は、本発明のスコープ内で当業者が理解し得る様々な変更をすることができる。例えば、上記実施形態（実施例）では、２本のアンテナを使用した場合を例に挙げて説明しているが、本発明は、３本以上のアンテナを使用した場合にも適用可能である。また、上記実施形態では、有線回線がイーサネット（登録商標）の場合を例に挙げて説明しているが、本発明は、他の有線回線にも適用可能である。
【００７１】
（付記１）前記通信すべき接続相手先装置は、ネットワークデバイスを有し、前記使用状況は、前記ネットワークデバイスの接続状況と、前記ネットワークデバイスの伝送速度及び／又はリンクレートとから成り、前記制御ステップは、前記ネットワークデバイスが接続されているかを判定し、かつ前記ネットワークデバイスの伝送速度及び／又はリンクレートを判定することにより、前記複数の無線部の電源を制御する、請求項８に記載の無線ＬＡＮアクセスポイント装置の制御方法。
【００７２】
（付記２）ＭＩＭＯ技術により複数のアンテナで通信することができる無線ＬＡＮアクセスポイント装置のコンピュータに、通信すべき接続相手先装置の使用状況により、前記複数のアンテナをそれぞれ制御する複数の無線部の電源を制御する手順、を実行させるための無線ＬＡＮアクセスポイント装置用制御プログラム。
【００７３】
（付記３）前記通信すべき接続相手先装置は、無線ＬＡＮ子機を有し、前記使用状況は、前記無線ＬＡＮ子機の接続状況であり、前記制御手順は、前記無線ＬＡＮ子機が接続されているかを判定することにより、前記複数の無線部の電源を制御する、付記２に記載の無線ＬＡＮアクセスポイント装置用制御プログラム。
【００７４】
（付記４）前記通信すべき接続相手先装置は、ネットワークデバイスを有し、前記使用状況は、前記ネットワークデバイスの伝送速度及び／又はリンクレートであり、前記制御手順は、前記ネットワークデバイスの伝送速度及び／又はリンクレートを判定することにより、前記複数の無線部の電源を制御する、付記２に記載の無線ＬＡＮアクセスポイント装置用制御プログラム。
【００７５】
（付記５）前記通信すべき接続相手先装置は、ネットワークデバイスを有し、前記使用状況は、前記ネットワークデバイスの接続状況と、前記ネットワークデバイスの伝送速度及び／又はリンクレートとから成り、前記制御手順は、前記ネットワークデバイスが接続されているかを判定し、かつ前記ネットワークデバイスの伝送速度及び／又はリンクレートを判定することにより、前記複数の無線部の電源を制御する、付記２に記載の無線ＬＡＮアクセスポイント装置用制御プログラム。
【符号の説明】
【００７６】
２０、２０Ａ    無線ＬＡＮアクセスポイント装置
２１    第１のアンテナ
２２    第１の無線部
２３    第２のアンテナ
２４    第２の無線部
２５    無線ＬＡＮ制御部
２５１    無線ＬＡＮリンク部
２５２    無線ＬＡＮ接続判定部
２５３    無線部電源管理部
３１    ＩＥＥＥ８０２．１１ｎ子機
３２    ＩＥＥＥ８０２．１１ｇｂ子機
４０    制御部
４６    有線回線制御部
４７    その他ネットワークデバイス制御部
４８    リンクスピード判定部
４９    無線部電源制御ＯＮ／ＯＦＦ設定部
５０    有線回線
６０    パーソナルコンピュータ（電子機器）
【図１】
2011166286.tif 000003
【図２】
2011166286.tif 000004
【図３】
2011166286.tif 000005
【図４】
2011166286.tif 000006
【図５】
2011166286.tif 000007
【図６】
2011166286.tif 000008